(57)【要約】  水中での加圧筋力トレーニングに最適なベルトを提供する。水中筋力トレーニング用ベルト１は、水中において所定の加圧力を使用者の四肢の特定部分に付与して使用者の筋肉の血流を止めることなく制限することにより筋肉をトレーニングするために用いられるものであって、特定部分に巻き付けられるように構成され伸縮性を有する第一帯状部材１０と、第一帯状部材の一方の端部１１に接続された第二帯状部材２０と、第一帯状部材１０の内部に配置され特定部分の周囲の長さに相当する特定の長さを有するガス袋３０と、第一帯状部材１０の他方の端部１２に接続されたバックル４０と、第一帯状部材１０の表面の少なくとも一部に設けられた第一面ファスナ５０と、第二帯状部材２０の表面の略全体に設けられた第二面ファスナ６０と、を備える。
2018092202.tif 000002
【特許請求の範囲】
【請求項１】
水中において所定の加圧力を使用者の四肢の特定部分に付与して前記使用者の筋肉の血流を止めることなく制限することにより筋肉をトレーニングするために用いられる水中筋力トレーニング用ベルトであって、
前記特定部分に巻き付けられるように構成され伸縮性を有する第一帯状部材と、
前記第一帯状部材の一方の端部に接続された第二帯状部材と、
前記第一帯状部材の内部に配置され前記特定部分の周囲の長さに相当する特定の長さを有するガス袋と、
前記第一帯状部材の他方の端部に接続されたバックルと、
前記第一帯状部材の表面の少なくとも一部に設けられた第一面ファスナと、
前記第二帯状部材の表面の略全体に設けられた第二面ファスナと、を備え、
前記第一帯状部材を前記特定部分に巻き付けてループ形状を形成し、前記第二帯状部材及び前記第一帯状部材の前記一方の端部を前記バックルに通し、前記第一帯状部材を折り返し、前記第一面ファスナと前記第二面ファスナとを結合させることにより前記ループ形状を維持した状態で、前記ガス袋内の気体の量に基づいた加圧力を前記特定部分に付与するように構成される、水中筋力トレーニング用ベルト。
【請求項２】
前記バックルの内面には、可撓性を有する小片が設けられている、請求項１に記載の水中筋力トレーニング用ベルト。
【請求項３】
前記第一帯状部材の内部において、前記ガス袋の外側には、複数の板状小片が前記第一帯状部材の長さ方向に沿って所定の間隔をおいて配置されている、請求項１又は２に記載の水中筋力トレーニング用ベルト。
【請求項４】
前記第一帯状部材の内部において、前記板状小片の外側の面に、非伸縮性のテープが取り付けられており、
前記テープの両端部は、前記第一帯状部材の幅方向両端部に各々取り付けられている、請求項３に記載の水中筋力トレーニング用ベルト。
【発明の詳細な説明】
【技術分野】
【０００１】
本発明は、水中筋力トレーニング用ベルトに関する。
【背景技術】
【０００２】
従来より、適切な血流制限による負荷を筋肉に付与することにより効率良く筋肉の増強を行うことができる加圧筋力トレーニング方法が提案され、実用化されている（例えば、特許文献１参照）。かかる筋力トレーニング方法においては、緊締具で使用者の四肢（腕や脚）の所定部位を締め付けて筋肉に加圧力を付与する筋肉増強器具が使用されている。
【先行技術文献】
【特許文献】
【０００３】
【特許文献１】特許第２６７０４２１号公報
【発明の概要】
【発明が解決しようとする課題】
【０００４】
ところで、現在においては、水中で作用する抵抗力や浮力を利用したトレーニングやリハビリテーションに関する方法が提案されている。アスリートが従来採用している水中トレーニング方法としては、水中で大きい抵抗力を発生させる物体（例えばバケツ）をロープを介して身体に取り付けた状態で泳ぐ方法や、水の流れに逆行するように泳ぐ方法等が採用されており、このような方法によれば、使用者（トレーニングを受ける者）に意図的に負荷を与えることができる、とされている。【０００５】
しかし、上記したような従来の水中トレーニング方法では、大掛かりな道具や設備が必要となる割には、使用者の血中乳酸濃度を効率良く増大させることができないという問題があった。筋肉を増強させるためには、脳下垂体から通常時よりも多くの成長ホルモンを分泌させる必要があり、このためには、効率良く血中乳酸濃度を増大させる必要がある。本願発明者は、前記した特許文献１に記載されたような従来の加圧筋力トレーニング方法と、水中でのトレーニングに関する方法と、を組み合わせることにより、きわめて効率良く筋肉を増強させることができることを見出し、さらに今般、そのような水中での加圧筋力トレーニングに最適なベルトを開発した。【０００６】
本発明は、水中での加圧筋力トレーニングに最適なベルトを提供することを目的とする。
【課題を解決するための手段】
【０００７】
前記目的を達成するため、本発明に係る水中筋力トレーニング用ベルトは、水中において所定の加圧力を使用者の四肢の特定部分に付与して使用者の筋肉の血流を止めることなく制限することにより筋肉をトレーニングするために用いられるものであって、特定部分に巻き付けられるように構成され伸縮性を有する第一帯状部材と、第一帯状部材の内部に配置され特定部分の周囲の長さに相当する特定の長さを有するガス袋と、第一帯状部材の一方の端部に接続された第二帯状部材と、第一帯状部材の他方の端部に接続されたバックルと、第一帯状部材の表面の少なくとも一部に設けられた第一面ファスナと、第二帯状部材の表面の略全体に設けられた第二面ファスナと、を備え、第一帯状部材を特定部分に巻き付けてループ形状を形成し、第二帯状部材及び第一帯状部材の一方の端部をバックルに通し、第一帯状部材を折り返し、第一面ファスナと第二面ファスナとを結合させることによりループ形状を維持した状態で、ガス袋内の気体の量に基づいた加圧力を特定部分に付与するように構成されるものである。【０００８】
かかる構成を採用すると、第一帯状部材を特定部分に巻き付けてループ形状を形成し、第二帯状部材及び第一帯状部材の一方の端部をバックルに通し、第一帯状部材に設けられた第一面ファスナと、第二帯状部材の表面の略全体に設けられた第二面ファスナと、を結合させることにより、ループ形状を確実に維持した状態で、ガス袋内の気体の量に基づいた加圧力を特定部分に付与することができる。このようにベルトを折り返して固定する方式を採用することにより、ベルトが嵩張らずに使用者の特定部分に取り付けられるため、水中運動における水の抵抗を少なくすることができる。また、特定部分の周囲の長さに相当する特定の長さを有するガス袋を採用しているため、特定部分の周囲全体に加圧力を付与することができる。さらに、第一帯状部材は伸縮性を有するものであるため、水中運動に伴う使用者の筋肉の膨張・収縮に従ってベルトが伸縮することができ、加圧力を安定的に付与することが可能となる。【０００９】
本発明に係る水中筋力トレーニング用ベルトにおいて、バックルの内面に可撓性小片を設けることができる。【００１０】
かかる構成を採用すると、バックルの内面（使用者の皮膚側に位置する面）に、例えば皮や布等から構成された可撓性小片が設けられるため、使用者の皮膚がバックルの中に通されたベルトの一部とともにバックル内に巻き込まれることを防ぐことができる。【００１１】
本発明に係る水中筋力トレーニング用ベルトの第一帯状部材の内部において、ガス袋の外側に、複数の板状小片を第一帯状部材の長さ方向に沿って所定の間隔をおいて配置することができる。【００１２】
かかる構成を採用すると、ガス袋が外側（ベルトを使用者の特定部分に固定した場合において特定部分から遠い側）に膨張することを、複数の板状小片によって防ぐことができる。従って、ガス袋を内側（ベルトを使用者の特定部分に固定した場合において特定部分に近い側）に膨張させることができ、使用者の特定部分に効率良く加圧力を付与することができる。【００１３】
本発明に係る水中筋力トレーニング用ベルトの第一帯状部材の内部において、板状小片の外側の面に非伸縮性のテープを取り付け、このテープの両端部を第一帯状部材の幅方向両端部に各々取り付けることができる。【００１４】
かかる構成を採用すると、テープの存在により、板状小片自体の外側への移動が防止されるため、ガス袋の外側への膨張をより効果的に防ぐことができる。また、テープは非伸縮性とされているため、ガス袋が幅方向に膨張することを防ぐこともできる。なお、テープは、板状小片とともに第一帯状部材の長さ方向に沿って所定の間隔をおいて配置されることとなるため、第一帯状部材のうち少なくともテープ間に位置する部分は第一帯状部材の長さ方向に伸縮が可能である。よって、テープの存在によって第一帯状部材の伸縮が妨げられることはない。
【発明の効果】
【００１５】
本発明によれば、水中での加圧筋力トレーニングに最適なベルトを提供することが可能となる。
【図面の簡単な説明】
【００１６】
【図１】本発明の実施形態に係る水中筋力トレーニング用ベルトの平面図である。
【図２】図１に示す水中筋力トレーニング用ベルトの底面図である。
【図３】図１に示す水中筋力トレーニング用ベルトの側面図である。
【図４】図１のIV−IV部分の断面図である。
【図５】図１に示す水中筋力トレーニング用ベルトの内部の構成を説明するための透視図である。
【図６】図１に示す水中筋力トレーニング用ベルトの使用状態を示す図である。
【図７】本発明の実施形態に係る水中筋力トレーニング用ベルトを用いた水中における筋力トレーニング方法を説明するためのフローチャートである。
【発明を実施するための形態】
【００１７】
以下、図面を参照して、本発明の実施形態について説明する。
【００１８】
まず、図１〜図６を用いて、本発明の実施形態に係る水中筋力トレーニング用ベルト（以下、単に「ベルト」と称する）１の構成について説明することとする。
【００１９】
本実施形態におけるベルト１は、水中において所定の加圧力を使用者の四肢の特定部分に付与して使用者の筋肉の血流を止めることなく制限することにより筋肉をトレーニングするために用いられるものである。ベルト１は、図１〜図６に示されるように、使用者の特定部分に巻き付けられるように構成された第一帯状部材１０と、第一帯状部材１０の一方の端部１１に接続された第二帯状部材２０と、第一帯状部材１０の内部に配置されたガス袋３０（図４）と、第一帯状部材１０の他方の端部１２に接続されたバックル４０と、を備えている。
【００２０】
ベルト１は、複数（例えば水中での加圧筋力トレーニングを行う者（使用者）の両手、両足に対して加圧を行えるように４つ）採用することができる。なお、ベルト１の数は必ずしも４つである必要はなく、一つ以上であれば幾つでも構わない。腕用のベルト１と脚用のベルト１は、必ずしも同数である必要はない。
【００２１】
ベルト１の長さや幅は、巻き付けられる部分（特定部分）の外周の長さに応じて適宜設定することができる。例えば、腕用のベルト１であれば、腕の特定部分の外周の長さ（約２６ｃｍ）を考慮して約４０ｃｍの長さに設定することができ、２．５〜３．０ｃｍの幅に設定することができる。また、脚用のベルト１であれば、脚の特定部分の外周の長さ（約４５ｃｍ）を考慮して約７０ｃｍの長さに設定することができ、５．０〜６．０ｃｍの幅に設定することができる。
【００２２】
第一帯状部材１０の長さは、ベルト１の全長の８０〜９０％程度の長さに設定することができる。第一帯状部材１０の外面（外側に露出する面）１３には、図１等に示すように、第一面ファスナ５０が設けられている。第一面ファスナ５０は、筋肉に加圧力を付与した状態におけるベルト１のループ形状を維持するものである。第一面ファスナ５０を設ける位置はベルト１の長さ等に応じて適宜設定することができる。ベルト１の内面１４に第一面ファスナ５０を設けてもよい。第一帯状部材１０は、撥水性、耐水性及び速乾性を有するとともに伸縮性を有する素材（例えばネオプレンゴム）で構成されている。
【００２３】
第二帯状部材２０の長さは、ベルト１の全長の１０〜２０％程度の長さに設定することができる。第二帯状部材２０の幅は、第一帯状部材１０の幅と同じ幅（乃至第一帯状部材１０の幅より若干狭い幅）に設定することができる。第二帯状部材２０の外面（外側に露出する面）の略全体には、図１等に示すように、第二面ファスナ６０が設けられている。第二面ファスナ６０は、第一帯状部材１０の第一面ファスナ５０に結合して、筋肉に加圧力を付与した状態におけるベルト１のループ形状を維持するものである。第二帯状部材２０は、撥水性、耐水性及び速乾性を有する非伸縮性の素材（例えば布や合成樹脂製の膜材等）で構成されている。
【００２４】
ガス袋３０は、少なくともその長さ方向に伸縮性を有する気密な細長い袋である。ガス袋３０は、必ずしもこの限りではないが、例えばマンシェットに用いられるゴム袋と同様の伸縮性を有するゴムにより構成することができる。ガス袋３０は、接続管３１（図１等）を介して、図示していない制御装置に接続される。ガス袋３０の内部には、接続管３１を介して、制御装置から空気が送り込まれ、また、ガス袋３０の内部の空気は、制御装置により抜かれる。ガス袋３０に対するこのような空気の出し入れは、制御装置により実施され得る。
【００２５】
ガス袋３０の長さは、巻き付けられる部分（特定部分）の外周の長さに相当する特定の長さを有するものとする。例えば、腕用のベルト１であれば、腕の特定部分の外周の長さに相当する約２６ｃｍの長さのガス袋３０を採用し、脚用のベルト１であれば、脚の特定部分の外周の長さに相当する約４５ｃｍの長さのガス袋３０を採用することができる。
【００２６】
第一帯状部材１０の内部において、ガス袋３０の外側には、図４及び図５に示すように複数の板状小片７０が第一帯状部材１０の長さ方向に沿って所定の間隔をおいて配置されている。板状小片７０は、空気を入れられることによって膨張するガス袋３０の膨張の方向を内側に規制するための部材である。板状小片７０は、かかる機能を発揮できるような硬質な素材（例えば合成樹脂等）で構成されている。本実施形態においては、図５に示すように、平面視矩形状を呈する板状小片７０を複数採用しているが、板状小片７０の平面形状はこれに限られるものではなく、各板状小片７０の平面形状を異ならせてもよい。板状小片７０の横方向の長さ（ベルト１の幅方向における寸法）は、ベルト１の幅の６０〜１００％の範囲で設定することができ、板状小片７０の縦方向の長さ（ベルト１の長さ方向における寸法）は、その横方向の長さと同程度に設定することができる。
【００２７】
また、第一帯状部材１０の内部において、板状小片７０の外側の面には、テープ８０が取り付けられている。テープ８０は、図５に示すように、第一帯状部材１０の幅方向に延在する帯状の部材であり、その両端部は、第一帯状部材１０の幅方向両端部に各々取り付けられている。テープ８０は、非伸縮性の素材（例えば布や合成樹脂製の膜材等）で構成されている。テープ８０の長さ（ベルト１の幅方向における寸法）は、ベルト１の幅と略同一に設定することができ、テープ８０の幅（ベルト１の長さ方向における寸法）は、板状小片７０の縦方向の長さよりも短くなるように設定することができる。テープ８０は、その長さ方向の略中央部分で板状小片７０の外側の面に固定されている。テープ８０と板状小片７０との固定は、例えば接着、溶着、縫合等によって行うことができる。
【００２８】
バックル４０は、ベルト１の巻付けの際にベルト１の他方の端部１１を通してベルト１を折り返すためのものである。バックル４０の内面（使用者の皮膚側に位置する面）側には、図２〜図４に示すように、柔軟な素材（例えば皮や布）で構成された可撓性小片９０が配置されている。可撓性小片９０によって、ベルト１を締め付けて加圧力を付与する際に、使用者の皮膚が（バックル４０の中に通されたベルト１の一部とともに）バックル４０内に巻き込まれることを防ぐことができる。
【００２９】
次いで、図７のフローチャート等を用いて、本実施形態に係るベルト１を用いた水中での加圧筋力トレーニングの各工程について説明する。
【００３０】
まず、使用者の筋肉増強を望む筋肉を含む四肢の少なくとも一つ（例えば上腕二頭筋を含む左上腕）の心臓に近い部分（特定部分）にベルト１を巻き付ける（ベルト巻付工程：Ｓ１）。この際、ベルト１の第一帯状部材１０を特定部分に巻き付けてループ形状を形成し、第二帯状部材２０及び第一帯状部材１０の一方の端部１１をバックル４０に通し、第一帯状部材１０を折り返し、第一面ファスナ５０と第二面ファスナ６０とを結合させることによりループ形状を維持する。
【００３１】
次いで、図示していない制御装置から接続管３１を介してガス袋３０の内部に空気を供給することにより、ガス袋３０内の気体の量に基づいた加圧力を特定部分に付与する（加圧力付与工程：Ｓ２）。加圧力の大きさは、使用者の年齢、性別、運動経験等に応じて適宜設定することができるが、使用者の筋肉の血流を止めることなく制限することができるような適切な値とする。
【００３２】
その後、ベルト１が筋肉に付与する加圧力を一定に維持したまま、使用者に水中運動を実施させる（水中運動工程：Ｓ３）。水中運動工程Ｓ３により、水の抵抗力や浮力が使用者に作用することとなる。水中運動の種類や継続時間は、使用者の年齢、性別、運動経験等に応じて適宜設定することができる。水中運動は、水泳運動に限られるものではなく、水中における他の運動（歩行運動、スクワット運動、プールサイドにつかまってのバタ脚運動やキック運動、カーフレイズ（爪先立ち）運動、レッグカール運動、レッグエクステンション運動等）も含むものである。
【００３３】
以上説明した実施形態に係るベルト１においては、第一帯状部材１０を特定部分に巻き付けてループ形状を形成し、第二帯状部材２０及び第一帯状部材１０の一方の端部１１をバックル４０に通し、第一帯状部材１０の表面に設けられた第一面ファスナ５０と、第二帯状部材２０の表面の略全体に設けられた第二面ファスナ６０と、を結合させることにより、ループ形状を確実に維持した状態で、ガス袋３０内の気体の量に基づいた加圧力を特定部分に付与することができる。このようにベルト１を折り返して固定する方式を採用することにより、ベルト１が嵩張らずに使用者の特定部分に取り付けられるため、水中運動における水の抵抗を少なくすることができる。また、特定部分の周囲の長さに相当する特定の長さを有するガス袋３０を採用しているため、特定部分の周囲全体に加圧力を付与することができる。さらに、第一帯状部材１０は伸縮性を有するものであるため、水中運動に伴う使用者の筋肉の膨張・収縮に従ってベルト１が伸縮することができ、加圧力を安定的に付与することが可能となる。
【００３４】
また、以上説明した実施形態に係るベルト１においては、バックル４０の内面（使用者の皮膚側に位置する面）に、例えば皮や布等から構成された可撓性小片９０が設けられるため、使用者の皮膚がバックル４０の中に通されたベルト１の一部とともにバックル４０内に巻き込まれることを防ぐことができる。
【００３５】
また、以上説明した実施形態に係るベルト１においては、ガス袋３０が外側に膨張することを複数の板状小片７０によって防ぐことができる。従って、ガス袋３０を内側に膨張させることができ、使用者の特定部分に効率良く加圧力を付与することができる。
【００３６】
また、以上説明した実施形態に係るベルト１においては、テープ８０の存在により、板状小片７０自体の外側への移動が防止されるため、ガス袋３０の外側への膨張をより効果的に防ぐことができる。また、テープ８０は非伸縮性とされているため、ガス袋３０が幅方向に膨張することを防ぐこともできる。なお、テープ８０は、板状小片７０とともに第一帯状部材１０の長さ方向に沿って所定の間隔をおいて配置されることとなるため、第一帯状部材１０のうち少なくともテープ８０間に位置する部分は第一帯状部材１０の長さ方向に伸縮が可能である。よって、テープ８０の存在によって第一帯状部材１０の伸縮が妨げられることはない。
【００３７】
なお、本実施形態に係るベルト１は、水中での加圧筋力トレーニングに最適なものであるが、陸上での加圧筋力トレーニングにも使用することができる。
【００３８】
本発明は、以上の実施形態に限定されるものではなく、この実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００３９】
１…水中筋力トレーニング用ベルト
１０…第一帯状部材
１１…一方の端部
１２…他方の端部
２０…第二帯状部材
３０…ガス袋
４０…バックル
５０…第一面ファスナ
６０…第二面ファスナ
７０…板状小片
８０…テープ
９０…可撓性小片
【図１】
2018092202.tif 000003
【図２】
2018092202.tif 000004
【図３】
2018092202.tif 000005
【図４】
2018092202.tif 000006
【図５】
2018092202.tif 000007
【図６】
2018092202.tif 000008
【図７】
2018092202.tif 000009
【国際調査報告】
2018092202.tif 000010
2018092202.tif 000011